Podtech/llm-jp-corpus-v4-ja_patent huggingface dataset:
(57)【要約】      （修正有）【課題】手動でスロープを収納することにより、据付撤去を容易にし、玄関が狭くならないようにすることである。【解決手段】スロープ板２を収納ボックス１に収納することを特徴とする。【選択図】図１
0003120958.tif 000002
【実用新案登録請求の範囲】
【請求項１】
玄関の上框等の段差を解消するスロープであって、必要のない時には、収納できることを、特徴とする。
【考案の詳細な説明】
【技術分野】
【００１】本考案は、玄関上框等の段差解消に取り付けられる、スロープに関する。
【背景技術】
【００２】従来、玄関上框等のスロープは、固定式では玄関が狭くなり、可動式でも据付、撤去が大変な手間と考えられる。
【考案の開示】
【考案が解決しようとする課題】
【００３】本考案は、手動でスロープを収納することにより、据付撤去を容易にし、玄関が狭くならないようにすることである。
【課題を解決するための手段】
【００４】上述の目的を達成する本考案の壁収納型スロープは、必要に応じてスロープを収納できることが、特徴である。
【考案の効果】
【００５】以上説明したように本考案によれば、スロープを収納ことにより、玄関を狭くせず、据付、撤去を容易にすることが可能である。
【考案を実施するための最良の形態】
【００６】以下、本考案の実施の形態を図面に基づき説明する。【００７】図１〜２は本考案の形態に係り、図１は未使用時。図２は使用時。【００８】図１に示すように、収納ボックス１にちょう番３でスロープ板２を固定する。【００９】図２に示すように、スロープ板２を開き、スロープ板２に取り付けられた受け金物４を玄関上框６に掛ける。スロープ板２にちょう番３で取り付けられた補助板５を開く。
【実施例】
【０１０】手動で簡単にスロープができ、未使用時には壁に納まるので、据付撤去が容易で、玄関の広さを確保できる。【０１１】以上、本考案は実施の形態及び実施例を説明したが、本考案の範囲はこれに限定されるものでない。収納ボックス、スロープ板、受け金物の形態、取り付け方法など、状況に応じて適宜選択されるものである。
【産業上の利用可能性】
【０１２】本考案は段差解消とし有用なスロープを製造、販売する産業分野で利用することができる。
【図面の簡単な説明】
【０１３】
【図１】本考案の実施形態に係る、収納時の外観斜視図である。
【図２】使用時の概観斜視図
【符号の説明】
【０１３】１          収納ボックス
２          スロープ板
３          ちょう番
４          受け金物
５          補助板
６          玄関上框
【図１】
0003120958.tif 000003
【図２】
0003120958.tif 000004
【手続補正書】
【提出日】平成17年8月18日(2005.8.18)
【手続補正１】
【補正対象書類名】実用新案登録請求の範囲
【補正対象項目名】全文
【補正方法】変更
【補正の内容】
【実用新案登録請求の範囲】
【請求項１】
玄関の上框の段差を解消スロープであって、スロープ板の一辺には受け金物が取り付けられ、反対の一辺にはスロープ板の厚みの段差を解消するちょう番で取り付けた補助板を有する。壁にはスロープ板が入る開口を有した収納ボックス置き、スロープ板（受け金物を取り付けた辺の直角方向の辺）は収納ボックスにちょう番で取り付ける。これによりスロープ板が壁に収納できることを特徴とする壁収納型スロープ。
【手続補正書】
【提出日】平成17年11月8日(2005.11.8)
【手続補正１】
【補正対象書類名】実用新案登録請求の範囲
【補正対象項目名】全文
【補正方法】変更
【補正の内容】
【実用新案登録請求の範囲】
【請求項１】
玄関の上框の段差を解消スロープであって、スロープ板の一辺には受け金物を取り付け、反対の一辺にはスロープ板の厚みの段差を解消する補助板をちょう番で取り付け、壁にはスロープ板が入る開口を有した収納ボックス置き、スロープ板（受け金物を取り付けた辺の直角方向の辺）を収納ボックスにちょう番で取り付けたことを特徴とする壁収納型スロープ。
【手続補正書】
【提出日】平成18年1月23日(2006.1.23)
【手続補正１】
【補正対象書類名】実用新案登録請求の範囲
【補正対象項目名】全文
【補正方法】変更
【補正の内容】
【実用新案登録請求の範囲】
【請求項１】
玄関の上框の段差を解消スロープであって、スロープ板の一辺には受け金物を取り付け、反対の一辺にはスロープ板の厚みの段差を解消する補助板をちょう番で取り付け、壁にはスロープ板が入る開口を有した収納ボックスを置き、受け金物、補助板を取り付けていないスロープ板の辺を収納ボックスにちょう番で取り付けたことを特徴とする壁収納型スロープ。
(57)【要約】      （修正有）【課題】輪型タイヤチューブを１本型タイヤチューブにして、チューブをタイヤを本体〈自転車等〉より外すことなく、簡単に取り外しを可能にしたもの。【解決手段】輪型タイヤチューブを１本型チューブにしてタイヤに収納【選択図】図２
0003120957.tif 000002
【実用新案登録請求の範囲】
【請求項１】
従来の円形型のタイヤチューブを一本型にしたチューブにする。
【考案の詳細な説明】
【考案が解決しようとする課題】
タイヤチューブ交換とパンク処理の簡略化
【考案を解決するための手段】
輪型タイヤチューブの一本型
【考案の効果】
パンク修理を迅速にできる
【考案を実施するための最良の形態】輪型タイヤチューブの一本型
【産業上の利用可能性】素人の方が簡単にパンク修理できるようになる
【図面の簡単な説明】
【図１】  タイヤチューブ１本型の平面図
【図２】  タイヤチューブ１本型の収納断面図
【符号の説明】
１、一本型チューブ    ２、チューブ先端部
３、空気入れ口        ４、タイヤ
【図１】
0003120957.tif 000003
【図２】
0003120957.tif 000004
【手続補正書】
【提出日】平成17年7月19日(2005.7.19)
【手続補正１】
【補正対象書類名】実用新案登録請求の範囲
【補正対象項目名】全文
【補正方法】変更
【補正の内容】
【実用新案登録請求の範囲】
【請求項１】
車輪のタイヤチューブを真ん中（空気バルブの対角線上の位置）より切り離した形状にしたチューブにする。
【手続補正２】
【補正対象書類名】明細書
【補正対象項目名】全文
【補正方法】変更
【補正の内容】
【考案の詳細な説明】
【考案が解決しようとする課題】
タイヤチューブのパンク修理手順はまずタイヤよりチューブを出し、穴の開いた箇所を探しその穴をパッチラバー等を貼り合わせタイヤに収納する。その穴を見つける時とパッチラバー等を貼る時、車輪を支える車軸等が邪魔して作業がしにくい不便がある、考案のタイヤチューブは車輪より全て引き出すことが可能になるのでパンク箇所の早期発見とパッチラバー等が貼りやすくなる）また車輪より引き出し可能なのでチューブ交換も迅速に且つ手軽にできるようになる
【考案を解決するための手段】
タイヤチューブを真ん中より切り離した形状にする
【考案の効果】
パンク修理やチューブ交換が簡単に出来るようになる。（特に自転車の後部車輪はチェーンやブレーキ装置が有り、タイヤ本体を自転車より外さないとチューブ交換は出来ずとても手間がかかり面倒である、そんな欠点をなくすためのものである。）
【考案を実施するため最良の形態】
タイヤチューブを切り離した形状にする事により、タイヤ本体より全てチューブを引き出す事が可能になりパンク修理やチューブ交換が迅速にできるようになる。
【産業上の利用可能性】主に自転車のチューブに利便性が高く自転車本体よりタイヤを外すことなくチューブを引き出すこと出来るのでパンク修理に慣れていない人も簡単にパンク修理とチューブ交換が可能となる。
【図面の簡単な説明】
【図１】タイヤチューブの平面図
【図２】タイヤチューブを広げた平面図
【図３】タイヤチューブのタイヤへの収納図（切断面図）
【符号の説明】
１  空気バルブ      ２  タイヤチューブ      ３  チューブ先端部
４  タイヤ      ５  タイヤ切断部分      ６  スポーク
【手続補正３】
【補正対象書類名】図面
【補正対象項目名】全図
【補正方法】変更
【補正の内容】
【図１】
0003120957.tif 000005
【図２】
0003120957.tif 000006
【図３】
0003120957.tif 000007
【手続補正書】
【提出日】平成17年10月13日(2005.10.13)
【手続補正１】
【補正対象書類名】実用新案登録請求の範囲
【補正対象項目名】全文
【補正方法】変更
【補正の内容】
【実用新案登録請求の範囲】
【請求項１】
車輪のタイヤチューブを、真ん中となる空気バルブの対角線上の位置より切り離した形状にしたチューブ。
(57)【要約】【課題】使用済みペットボトルを用いた感覚刺激遊具を提供する。【解決手段】ペットボトル１１とペットボトル１２がそれぞれの口の部分を対抗して接続部品１３で連通に繋げられている。当該ペットボトルの内部に液体または固体の物体またはその混合体を適量入れて構成した。【選択図】  図１
0003120925.tif 000002
【実用新案登録請求の範囲】
【請求項１】
ペットボトルを用いた感覚刺激遊具であって、前記遊具には２つのペットボトルの口部を対抗させて連通に繋ぎ合わせ、当該ペットボトルの内部に液状体または固体または半固体状の物体またはその混合体の内容物を入れて構成し、当該遊具を上下逆さまにしたときに前記内容物が上から下へ流れ落ちると同時に音響を発しながら乱舞し振動を発するようにしたことを特徴とする感覚刺激遊具。
【請求項２】
請求項１において、前記玩具には、口部を対抗し連通させて繋ぎ合せたボトルの首部に視覚を刺激する形状または触感を刺激する素材で握り部を形成して構成したことを特徴とする感覚刺激遊具。
【考案の詳細な説明】
【技術分野】
【０００１】
本考案は、使用済みのペットボトル（お茶・ジュースなどのＰＥＴ容器）を利用した感覚刺激玩具に関するものである。
【背景技術】
【０００２】
従来、ペットボトルのキャップの頭を接着して通気用の太い管と通水用の細い管を挿通したジョイントで２つのペットボトルを接続するようにし、水を入れて浮遊物が乱舞する様子と気泡の音を楽しむ玩具（例えば、特許文献１参照）があった。しかし、水が細々と落ちるだけで浮遊物は水と一緒に流れ落ちないので、気泡の音以外の音響効果は期待できないと共に、水の落下と気泡の破裂により発生する振動を楽しむ様にはなっていなかった。また、視覚的にも臨場感に欠け感覚刺激効果はあまり期待できなかった。
【０００３】
【特許文献１】特開２０００−３５４６９０号公報
【考案の開示】
【考案が解決しようとする課題】
【０００４】
本考案は上記のような問題点に鑑みなされたもので、使用済みペットボトルの口と口を対抗させ、連通に繋ぎ合わせた感覚刺激遊具を提供することを目的とする。
【課題を解決するための手段】
【０００５】
上記課題を解決するために、本考案の請求項１に記載のペットボトルを用いた感覚刺激遊具は、２つのペットボトルの口部を対抗させて連通に繋ぎ合わせ、当該ペットボトルの内部に液体または固体の物体またはその混合体の内容物を適量入れて構成し、逆さあるいは斜めにしたときに上側のペットボトルから下側のペットボトルに内容物が一気にまたは徐々に流れ落ちる様に構成して、そのときの様々な音響と振動および内容物の色彩と動きを楽しめるようにしたことを特徴とするものである。
また、請求項２に記載のペットボトルを用いた感覚刺激遊具は２つのペットボトルの口部を対抗させて連通に繋ぎ合わせた首部に握り部を取り付ける手段を講じたものである。
【考案の効果】
【０００６】
本考案によれば、前述の握り部を持って、内容物がはいっている側のペットボトルを上にすると上側のペットボトルから下側のペットボトルに内容物が一気にまたは徐々に流れ落ちる。すなわち傾斜を急にすると内容物は一気に下側のペットボトルに流れ込み、あるいは傾斜を緩やかにすると内容物は徐々に下側のペットボトルに移動する。このとき内容物同士あるいは内容物と容器の衝突音（摩擦音）、および液体と空気が発する気泡の爆発音と振動がボトルの動きに応じて様々な形で発せられて聴覚、視覚、触覚を刺激する効果がある。
また、上のペットボトルが空になると、上下を逆さまにすれば反復作用をすることができる。当該反復作用を早く行ったり、遅く行ったりすることにより、更に様々な音響や内容物の色彩や動き、振動を得ることができ、楽しむことができる。
本考案を使用することによって、使用済みのペットボトルを遊具として有効に再利用でき、低コストで意外性のある遊具を提供することができる
また、資源ゴミになるべき使用済みペットボトルの良さを発見し、有効に再利用することで、資源を大事にする心と自然環境を大事にする心を育成することができる。
【考案を実施するための最良の形態】
【０００７】
ペットボトルを用いた遊具であって、前記遊具は第１のペットボトルと第２のペットボトルから成り、前記第１のペットボトルには液体または固体またはその混合体から成る内容物を入れ、前記第２のペットボトルは空にして、第１のペットボトルと第２のペットボトルの口部を対抗させて連通で強固に接続する接続部品で繋ぎ合わせ、前記接続部品を覆うように握り部を形成して配置し、前記握り部を持って、当該遊具を上下逆さに反復させると、前記内容物が、前記第１のペットボトルと第２のペットボトルの間を往復するように構成した。
【実施例】
【０００８】
本考案の実施例を、図を用いて説明する。図１は本考案の請求項１に記載のペットボトルを用いた感覚刺激遊具の斜視図である。図２は本考案の請求項２に記載のペットボトルを用いた感覚刺激遊具の握り部の斜視図である。図１に示すように、ペットボトル１１とペットボトル１２がそれぞれの口の部分を対抗して接続部品１３で連通に繋げられている。接続部品１３には加熱することにより収縮する熱収縮チューブを用い、ペットボトル１１とペットボトル１２を強固に接続するとともにペットボトル１１とペットボトル１２の内部の水１２１が漏れないように構成されている。接続部品１３には例えば散水用ビニールホース、ゴムホースを用いてもよい。
ペットボトル１２には水１２１を７分目程度と様々な形状および色彩のビーズ１２２が適量入れられている。水１２１は着色水でも良く、ビーズ１２２には様々な色彩をした成型材料のペレットを用いてもよい。
図２に示すように握り部２３は接続部品１３の表面を覆うように配置され、紙粘土を使用し、握りやすい形状に構成されている。握り部２３を構成する材質は触感が良い素材が好ましくシリコン素材、フェルト等を用いても良い。また、形状はキャラクターを模して形成し視覚を刺激するように構成することも効果的である。
握り部２３を持ってペットボトル１２を逆さに回転させれば水１２１とビーズ１２２は、発泡し、音をたて、乱舞し、振動しながらペットボトル１１へ流れ落ちる。これの反復により視覚、聴覚、触覚が刺激を受け楽しむことができる。
【図面の簡単な説明】
【０００９】
【図１】ペットボトルを用いた感覚刺激遊具の斜視図である。
【図２】握り部の斜視図である。
【符号の説明】
【００１０】
１１  ペットボトル
１２  ペットボトル
１３  接続部品
１２１  水
１２２  ビーズ
２３  握り部
【図１】
0003120925.tif 000003
【図２】
0003120925.tif 000004
(57)【要約】      （修正有）【課題】アナログとデジタルの時計を組み合わせることにより一本の針だけで時間を示せデザインも魅力的になる。【解決手段】腕時計の本体１表示部分はアナログとデジタルの表示部分が組み合わさっていて針が着いている所は針が一本になっていて１時〜１２時まで時間に合わせて針が上〜下に下がっていき１２時５９分〜１時に時間が変わると針が上〜下に戻る仕組みになっている。日にち８とふん（７）はデジタル表示、時５はアナログ表示にしてある。【選択図】図１
0003120992.tif 000002
【実用新案登録請求の範囲】
【請求項１】
腕時計本体の針を一本にし、時計の表示部分にアナログとデジタルの時計を組み合わせたデザインを重視した一本針合体腕時計
【考案の詳細な説明】
【技術分野】
【０００１】本考案は、腕時計本体の針を一本にし時計の表示部分はアナログ時計とデジタル時計を組み合わせデザインを重視した腕時計に関するものである。
【背景技術】
【０００２】現在のアナログ時計は長針と短針の二本の針を使って時間を表示していた。
【考案の開示】
［考案が解決しようとする問題］
【０００３】アナログの腕時計は長針と短針の二本の針を使わないと時間を示すことが出来ない。
【課題を解決するための手段】
【０００４】本考案は、アナログとデジタルの時計を組み合わせることにより一本の針だけで時間を示せるようになり前途の問題点を解決している。
【考案の効果】
【０００５】上術のように、本考案の一本針合体腕時計はアナログとデジタルの時計を組み合わせることにより一本の針だけで時間を示せるようになりデザインも魅力的なものになっている。
［考案の実施するための最良の形態］
【０００６】腕時計の本体表示部分はアナログとデジタルの表示部分が組み合わさっていて針が付いている所は針が一本になっていて１時〜１２時まで時間に合わせて針が上〜下に下がっていき１２時５９分〜１時に時間が変わると針が下〜上に戻る仕組になっている。日にちも付いている。
【実施例】
【０００７】以下、添付図面に従って一実施例を説明する。１は腕時計の本体、２はベルトの革を通す時に付いている金具の部分、３は穴を通すにに付いている金具の部分、４はベルトの革、５は時間の数字が書いてある所、６はねじを巻く所、７はデジタルの時間を表示してある所、８は日にちが書いてある所（デジタル数字ではない。）９は、ベルトの穴、１０は時計の針が移動できるようにあいている穴の部分、１１は時計の針一本、１２は電池が入っている所、１３は電池の蓋の部分。
【図面の簡単な説明】
【０００８】
【図１】本考案の一本針合体腕時計の一実施例を示す正面図である。
【符号の説明】
【０００９】  １  腕時計の本体
２  ベルトの革を通す時の金具
３  穴を通す時の金具
４  ベルトの革
５  時間の数字が書いてある所
６  ねじを巻く所
７  デジタルの時間の表示部分
８  日にちが書いてある所（デジタル数字ではない。）
９  ベルトの穴
１０  時計の針が移動できるようにあいている穴の部分
１１  時計の針一本
１２  電池
１３  腕時計の蓋
【図１】
0003120992.tif 000003
(57)【要約】      （修正有）【課題】スポーツや作業をする時にタオルを必要としないで行うことができ、また汗をかいたら、この帽子のタオルパットで頭からの汗を止めて額の汗は拭うことができる。【解決手段】これは帽子の全面と内側とツバの形の汗拭きタオルパットを面ファスナーで取り付ける。前面、内側のタオルパットは、額からの汗止め用、ツバの部分は汗拭き用に利用し、汗を吸収し、使い終えると取り外して新しいタオルパットに取り替えて使用しても良いし、洗濯して再利用もできる。【選択図】図２
0003120991.tif 000002
【実用新案登録請求の範囲】
【請求項１】
帽子の内側とツバの部分に汗取り、汗止め、汗拭き用として、タオル生地又は介護用の生地を帽子の内側とツバの部分に面ファスナーで取り付ける。汗を拭き取った後は、交換用の汗取り、汗止め用パットを帽子の内側とツバの部分に取り付ける。
【考案の詳細な説明】
【技術分野】
【０００１】
これは帽子の内側、ツバに設けた取り外しの出来る汗止め、汗拭きタオルパットです。
【背景技術】
【０００２】
テレビなどで野球を観戦すると投手が汗をユニフォームで拭う姿をよく見かけます。それは、頭から流れる汗がそのまま額に流れ落ちていることと考えます。この帽子はそれを額の部分の内側のパットで汗を止め、また、ツバの部分で顔の汗を拭い、濡れたパットはまた新しいタオルパットに交換できるし、洗濯して再利用できます。
【考案の開示】
【考案が解決しようとする課題】
【０００３】
これは帽子の前面と内側とツバの形の汗拭きタオルパットを面ファスナーで取り付けます。前面、内側のタオルパットは、額からの汗止め用、ツバの部分は汗拭き用に利用し、汗を吸収し、使い終えると取り外して新しいタオルパットに取り替えて使用しても良いし、洗濯して再利用もできます。
【課題を解決するための手段】
【０００４】
この帽子を使うことにより、スポーツや作業をする時にタオルを必要としないで行うことができ、また汗をかいたら、この帽子のタオルパットで頭からの汗を止めて額の汗は拭うことができます。
【考案の効果】
【０００５】
これは帽子本体に取り付けるので、夏などの気温の高い季節や屋内外でのスポーツや作業をする時にタオルを持たなくても、この帽子を被っていれば、汗を拭うことが出来ます。
【考案を実施するための最良の形態】
【０００６】
帽子の内側に汗止め、汗拭きを取り付けるのでこの帽子を被って作業をする人、スポーツをする人は、タオルを必要としなくなり、普通に帽子を被っている人と同じように出来るようになります。
【０００７】
頭から流れる汗は、帽子内側のタオルパットで汗を止め、額から流れる汗は、帽子のツバの部分で汗を拭うことができ、汗を吸収したタオルパットは新しく取り替えることができ、また、洗濯して再利用もできるタオルパットです。
【産業上の利用可能性】
【０００８】
図１から６の通りといたします。
スポーツや作業することにも使えますし、普段の生活にも使える帽子です。
【図面の簡単な説明】
【０００９】
【図１】タオルパット付きの帽子の全体図である。（実施例１）
【図２】タオルパット付きの帽子の裏側図である。（実施例２）
【図３】タオルパットをはずした時の帽子の裏側図である。（実施例３）
【図４】取り外したタオルパット全体図である。（実施例４）
【図５】取り外したタオルパット裏側図である。（実施例５）
【図６】実際、帽子の内側で使われる状態図である。（実施例６）
【符号の説明】
【００１０】
１タオルパット
２面ファスナー
【図１】
0003120991.tif 000003
【図２】
0003120991.tif 000004
【図３】
0003120991.tif 000005
【図４】
0003120991.tif 000006
【図５】
0003120991.tif 000007
【図６】
0003120991.tif 000008
【手続補正書】
【提出日】平成18年2月24日(2006.2.24)
【手続補正１】
【補正対象書類名】実用新案登録請求の範囲
【補正対象項目名】請求項１
【補正方法】変更
【補正の内容】
【請求項１】
帽子の内側とツバの内側部分に、汗止め、汗拭き用としてタオル生地又は介護用の生地からなるタオルパットを、面ファスナーを介して取り替え自在に取り付けたことを特徴とする汗取り、汗止め、汗拭き用の帽子タオルパット。
(57)【要約】【課題】クリップ内部の挟片の挟止部は弾性的に薄い文献を挟むことができ、厚い文献はクリップ内部の挟片の挟止部及び外部片体の挟止部により二重に挟持され、文献を安定して挟み、脱落しないクリップの構造を提供する。【解決手段】特に、二つの斜め方向に相対する片体を有し、その外端縁は湾折して挟止部を形成し、二片体上に切口を設け、且つ、切口内に二つの斜め方向の挟片を設置し、この挟片近端縁に、寄り合う挟止部を有する。【選択図】図１
0003120614.tif 000002
【実用新案登録請求の範囲】
【請求項１】
クリップの構造であって、主に、二つの斜め方向に相対する片体を有し、その外端縁は湾折して挟止部を形成し、二片体上に切口を設け、且つ、前記切口内に二つの斜め方向の挟片を設置し、この挟片近端縁に、寄り合う挟止部を有し、これにより、前記クリップ内部の挟片の挟止部は、弾性的に薄い文献を挟むことができ、厚い文献は、前記クリップ内部の挟片の挟止部、及び、外部片体の挟止部により二重に挟持され、文献を安定して挟み、脱落しないことを特徴とするクリップの構造。
【請求項２】
前記の二つの片体外端縁の挟止部は開口を形成することを特徴とする請求項１に記載のクリップの構造。
【考案の詳細な説明】
【技術分野】
【０００１】
本考案は、クリップの構造に関するものであって、特に、クリップ内部の挟片の挟止部は、弾性的に薄い文献を挟むことができ、厚い文献は、クリップ内部の挟片の挟止部、及び、外部片体の挟止部により二重に挟持され、文献を安定して挟み、脱落しないクリップの構造に関するものである。
【背景技術】
【０００２】
公知のクリップ１は、図１で示されるように、主に、金属板材を湾折し、側面を三角形の挟体にすると共に、二つの斜め方向に相対する挟片１０を設け、挟片１０の下端縁は開口１１を有する。開口１１の上方は挟止部１２で、クリップ１の二つの挟片１０は、一定程度の外張弾性を有する。紙が二つの挟片１０間に挿入される時、弾性が挟止部１２で生じる挟止力により文献を挟持するが、この種のクリップ１は、開口１１が小さく、文献を挟持する時、挟止部１２が開きにくく、故に、クリップを開く器具を用いてクリップ１の挟片１０を開き、且つ、文献を常時挟持したい時、この器具がなければ使用できないので、非常に不便である。また、クリップ１が挟持する紙の枚数と挟体の大きさは関係し、挟体が小さいと一定数量の紙の枚数しか挟持できず、紙が多い時、大きい挟体が必要なので、多種の尺寸のクリップを購入しなければならない。よって、本考案者は、クリップの使用上の不便を改善する構造を研究した。
【考案の開示】
【考案が解決しようとする課題】
【０００３】
本考案は、クリップの構造で、挟持力が好ましく、且つ、少ない枚数の紙も枚数が多い場合も挟持できるクリップの構造を提供することを目的とする。
【課題を解決するための手段】
【０００４】
本考案のクリップの構造は、二つの斜め方向に相対する片体を有し、その外端縁は湾折して挟止部を形成し、二片体上に切口を設け、且つ、切口内に二つの斜め方向の挟片を設置し、この挟片近端縁に、寄り合う挟止部を有する。これにより、クリップ内部の挟片の挟止部は、弾性的に薄い文献を挟むことができ、厚い文献は、クリップ内部の挟片の挟止部、及び、外部片体の挟止部により二重に挟持され、文献を安定して挟み、脱落しない。
【考案の効果】
【０００５】
挟持力が好ましく、且つ、少ない枚数の紙も枚数が多い場合も挟持できるクリップの構造が提供される。
【考案を実施するための最良の形態】
【０００６】
図２で示されるように、本考案のクリップ２は、主に、二つの片体２０、２１、片体の外端縁は、挟止部２００、２１０を有し、且つ、挟止部２００、２１０間に開口２２を形成し、片体２０、２１上に切口２３、２４を設置し、切口２３、２４内に、斜め方向の挟片２５、２６を有する。挟片２５、２６近端縁に、寄り合う挟止部２５０、２６０を有する。
【０００７】
使用時、図３で示されるように、挟持する文献３をクリップ２の開口２２から挿入し、文献３は、二つの挟片２５、２６が寄り合う挟止部２５０、２６０に弾性挟力を形成させ、文献３が安定して挟持される。文献３が少ない時、図４で示されるように、クリップ２の開口２２は文献３を挟むことができないが、クリップ２内部の二つの挟片２５、２６の挟止部２５０、２６０は、効果的に文献３を挟持する。文献３が多い時、図５で示されるように、クリップ２内部の二つの挟片２５、２６は、文献３を推開し、挟止部２５０、２６０により、外張の挟止力を形成し、文献３を挟み、且つ、クリップ２外部の二つの片体２０、２１は、その挟止部２００、２１０は同様に、文献３の推開を受けて、外張りの挟止を生成し、文献３を挟固定位させ、これにより、厚い文献、即ち、紙の枚数が多い時、クリップ２内部の挟止部２５０、２６０の挟止を受ける以外に、外部の挟止部２００、２１０の二重の挟止を受け、紙が脱落せず、挟止面積が大きいので、文献３を安定して挟持でき、他の器具の助けを得なくてもよく、且つ、クリップ２は、薄い文献にも厚い文献にも使用できて非常に便利である。
【０００８】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【０００９】
【図１】公知のクリップの立体図である。
【図２】本考案の立体図である。
【図３】本考案の使用図である。
【図４】本考案の薄い文献を挟む説明図である。
【図５】本考案の厚い文献を挟む説明図である。
【符号の説明】
【００１０】
１、２…クリップ
１０…挟片
１１、２２…開口
１２、２５０、２６０…挟止部
２０、２１…片体
２００、２１０…挟止部
２３、２４…切口
２５、２６…挟片
３…文献
【図１】
0003120614.tif 000003
【図２】
0003120614.tif 000004
【図３】
0003120614.tif 000005
【図４】
0003120614.tif 000006
【図５】
0003120614.tif 000007
(57)【要約】      （修正有）【課題】ピアノを弾きながら作曲及びコンピュータ音楽制作するための電子ピアノスタンドを提供する。【解決手段】ピアノスタンドの蓋に、厚さ１０ミリの透明アクリル板を使用し、その左右両端に接するスタンド部分に、アクリル板を水平に支え、水平にスライドさせる機能を持たせ、奥行きいっぱいまで押し込み蓋を格納した際、ピアノ演奏ができ、アクリル板を手前に引き出すと、透明な台としてコンピュータキーボードやマウスまたは作曲用五線紙を載せても鍵盤が透けて見えるため、コンピュータ操作と鍵盤操作の両方が同じ体の向きで扱える。【選択図】図１
0003120679.tif 000002
【実用新案登録請求の範囲】
【請求項１】
電子ピアノ本体を格納する電子ピアノスタンドの蓋に、厚さ１０ミリの透明アクリル板を使用し、アクリル板の左右両端縁側に接する電子ピアノスタンド部分に、アクリル板を水平に支え、水平にスライドさせる小木を付け、奥行きいっぱいまで押し込むと蓋を格納して、ピアノ演奏ができる状態となり、手前にいっぱい引き出すと、電子ピアノの蓋として或いは透明な台としてコンピュータキーボードやマウスまたは作曲用五線紙を載せても鍵盤が透けて見えるため、コンピュータ操作と鍵盤操作の両方が同じ体の向きで扱えることを特徴とする電子ピアノ用スタンド。
【考案の詳細な説明】
【技術分野】
【０００１】本考案はピアノを弾きながら作曲及びコンピュータ音楽制作するための電子ピアノスタンドに関する。
【背景技術】
【０００２】作曲及びコンピュータ音楽制作の音データ入力用鍵盤は鍵盤数の少ないものであるため、コンピュータの前面に設置できた。
【考案の開示】
【考案が解決しようとする課題】
【０００３】フルスケール８８鍵盤ピアノを入力用に使用する場合、鍵盤幅が広くなるため、コンピュータ操作とピアノ演奏を同一の姿勢で同時に使用できない。すなわち幅広い８８鍵盤を見ながら同時に作曲用五線紙への記入、及び音楽制作用コンピュータの操作を可能とする電子ピアノスタンドが求められている。
【課題を解決するための手段】
【０００４】電子ピアノ本体を格納する電子ピアノスタンドの蓋に、厚さ１０ミリの透明アクリル板を使用し、アクリル板の左右両端縁側に接する電子ピアノスタンド部分に、アクリル板を水平に支え、水平にスライドさせる小木を付け、奥行きいっぱいまで押し込むと蓋を格納して、ピアノ演奏ができる状態となり、手前にいっぱい引き出すと、電子ピアノの蓋として或いは透明な台としてコンピュータキーボードやマウスまたは作曲用五線紙を載せても鍵盤が透けて見えるため、コンピュータ操作と鍵盤操作の両方が同じ体の向きで扱えることを特徴とする電子ピアノ用スタンド。
【考案の効果】
【０００５】フルスケール８８鍵盤ピアノを演奏しながら作曲及びコンピュータ音楽制作する際、コンピュータキーボード及びマウス、或いは作曲用五線紙の設置場所は、鍵盤上が凹凸であり、さらに鍵盤に触れるとデータが入力されるので、ピアノ鍵盤から離れた位置に設置することが多く、制作者は常に正面を向いて同一の姿勢で制作及び演奏することは困難であったが、本考案により、制作者はフルスケール８８鍵盤ピアノを常に正面を向いて同一の姿勢で演奏しながら作曲及びコンピュータ音楽制作が容易となる。
【考案を実施するための最良の形態】
【０００６】演奏に専念する際は、本考案の請求項にあるアクリル蓋を前方水平にスライドさせ押し込むと、一般のピアノとして使用でき、作曲及びコンピュータ音楽制作する際は、アクリル蓋を前方より引き出し、アクリル蓋がピアノ鍵盤の上部へ位置するようにすれば、アクリル蓋が透けて鍵盤を見ながら作曲及びコンピュータ音楽制作が可能となる。
【実施例】
【０００７】フルスケール８８鍵盤ピアノの演奏に専念する際は、アクリル蓋を前方水平にスライドさせ押し込み、一般のピアノとして使用する。アクリル蓋は１ａアクリル蓋引き出し静止用ビスが２ｂアクリル蓋引き出し静止用ビス用溝を通ることにより安定してスライドし、手前へ飛び出ることを防止している。【０００８】ピアノを弾きながら作曲用五線紙に音符を書きとめる際は、アクリル蓋を前方より引き出し、アクリル蓋がピアノ鍵盤の上部へ位置するようにして、アクリル蓋の上に作曲用五線紙を置くと、アクリル蓋が透けて鍵盤を見ることができ、弾きながら書きとめる、或いは書きとめた作曲用五線紙を見ながら弾くことが、正面を向いた同一の姿勢で可能となる。【０００９】コンピュータ画面を見ながら演奏する際は、アクリル蓋を前方より引き出し、アクリル蓋がピアノ鍵盤の上部へ位置するようにして、アクリル蓋の上にコンピュータキーボード及びマウスを置くと、コンピュータ操作と演奏が正面を向いた同一の姿勢で可能となる。
【図面の簡単な説明】
【００１０】
【図１】「本考案の正面左側上部から全体を示した斜視図である。」
【図２】「図１の位置からアクリル蓋を奥まで押し込んだ状態を示した斜視図である。」
【図３】「本考案の左側アクリル蓋周辺の構造を示した斜視図である。」
【図４】「本考案の電子ピアノ用スタンドに、実例の参考として別途電子ピアノ、及び別途コンピュータを挿入し、正面左側上部から全体を示した斜視図である。」
【符号の説明】
【００１１】１    アクリル蓋（厚さ１０ミリメートル）
１ａ  アクリル蓋引き出し静止用ビス
２    アクリル蓋上部押さえ板
２ａ  アクリル蓋下部押さえ板
２ｂ  アクリル蓋引き出し静止用ビス用溝
２ｃ  アクリル蓋下部押さえ板下部固定用ボルト
２ｄ  譜面たて用溝
３    脚板
３ａ  アクリル蓋下部押さえ板下部固定用穴
４    棚板
５    背面補強板
６    電子ピアノコード通し穴
７    アクリル蓋保持部材
８    譜面たて
９    コンピュータ用モニター
９ａ  コンピュータ用モニター取り付け用アーム
１０  コンピュータ本体
１０ａ  コンピュータ用マウス
１１  電子ピアノ用接続コード
１２  電子ピアノ（フルスケール８８鍵盤）
【図１】
0003120679.tif 000003
【図２】
0003120679.tif 000004
【図３】
0003120679.tif 000005
【図４】
0003120679.tif 000006
(57)【要約】【課題】  建築用のコンクリ−トブロックを箱型状にして空洞部に収納室を設け、塀や車庫の壁に使用した場合、色々な物が有効に収納出来、棚等の取付けが出来る事を課題とする。【解決手段】  本考案の箱型収納ブロックは、本体１，２からなり、色々な物を収納する空洞収納室３を設ける。収納室を出来るだけ広くするため、１，２をコンクリ−ト及び金属板、耐久性プラスチックの材料、または、異種の材料で構成し、少しでも収納性を向上する。箱型収納ブロックの空洞収納室は、隣接地からは、見えないように金属板、プラスチック板で壁を設ける。通気性を要する個所へ使用するブロックの壁については多孔板とする。また、収納室には、ボルトねじ込み用ネジ穴（ナット埋め込み）４を設けて物を吊るす事、棚等の取付けが出来ることを特徴とする。【選択図】図３
0003120672.tif 000002
【実用新案登録請求の範囲】
【請求項１】
ブロックの形状を箱型状にして空洞を設け、空洞部に物を入れ、吊るす事で収納出来る事を目的としたブロックで、コンクリ−トや金属板、耐久性プラスチック板の材料の組み合わせで構成した箱型収納ブロック。
【請求項２】
ブロックの両側中間にボルトねじ込み用ネジ穴を設けて、用具取付け金具をボルトで取付ける事で、物を吊るし、棚の取付け、物が固定出来る事を特長とする請求項１記載の箱型収納ブロック。
【考案の詳細な説明】
【技術分野】
【０００１】  ブロックを空洞の箱型状にし、物を入れたり吊るしたりする事で、物が収納出来る事を目的としたブロックに関するものである。
【背景技術】
【０００２】  従来、ブロック塀などに使用する空洞化粧ブロックの目的は、風通しやデザインに変化を付ける飾を目的としたもので、それ以外の使用目的用途は無い。ブロックの空洞部に物を置けば隣接地側から見た場合には美観にも支障を来たす。
【考案の開示】
【考案が解決しようとする課題】
【０００３】  箱型状の収納ブロックで、隣接地側を壁にする事で、空洞収納室に物を置いても隣地側からは見えない。ブロック塀として、箱型状空洞収納室を活かす事で物が収納出来る。狭い通路や場所等に箱型収納ブロックで塀を設置する事で、花器等の装飾で整理整頓が出来るため場所を有効に利用出来る。また、収納ブロック本体にボルトねじ込み用ネジ穴（ナット埋め込み）を設けて、棚の取付けや、物を吊るす事の出来る収納ブロックを考案して従来ブロックの課題を解決する。
【課題を解決するための手段】
【０００４】  本考案の箱型収納ブロックは、コンクリ−トブロックの規格寸法と同一寸法とし、箱型状の空洞収納室を有効に活かし、色々な物が収納出来る構造で、ブロック塀や車庫の壁に使用する。狭い敷地通路の場所では、塀の空洞部に物や花器を収納して美観を良くするための収納ブロックであり、ブロック本体にボルトねじ込み用ネジ穴（ナット埋め込み）を設けて棚の取付けや、物を吊る事も出来る構造にする。
【考案の効果】
【０００５】  本考案の箱型収納ブロックは、ブロック塀や車庫の壁を構築する場合に箱型状の空洞ブロックをどの位置に設定するかを工夫すれば、狭い通路や場所での空間を有効に利用して色々な物が収納出来る。又、収納する空洞収納室を逆に外側に向けて利用すれば、そこに植木鉢や飾り物等を置き、従来のブロック塀に無かった機能と変化が出せるブロックを提供出来る。
【考案を実施するための最良の形態】
【０００６】  本考案の箱型収納ブロック本体は、従来コンクリートブロックの規格と同一寸法で製作する。その特長は箱型状で空洞収納室３に色々な物を収納する。空洞収納室３の広さを最大限に確保するため、壁２を金属板、耐久性プラスチック板で設けて隣接地から物が見えないようにする。【０００７】箱型収納ブロックの壁２は、通気性を必要とする個所へ使用するブロックは、多孔板の壁とする。【０００８】  本考案箱型収納ブロック本体の耐圧強度の向上には、枠１をコンクリ−トで製作する場合、壁２の金属板に対して直角に鉄筋を溶接し、枠１の中心位置の周りに鉄筋を巻き付けた状態で固定し、コンクリートで固めた箱型収納ブロックとする。【０００９】  箱型収納ブロック本体にネジ穴４を設ける事で、物を吊るす事が出来るように引掛用の金具取付穴とする。また、棚等の取付けを目的とする。【００１０】  本考案の箱型収納ブロックの設置工事は、従来のブロック積み作業と同様の工法や手順で、塀や車庫の壁工事が簡単に施工出来る。
【実施例】
【００１１】  以下、添付図面に従って一実施例を説明する。箱型収納ブロック枠１はコンクリート及び耐久性のプラスチックの適宣素材とし、壁２は主に金属板を使用するが、コンクリート、耐久性プラスチックの素材も使用する。空洞収納室３にボルトねじ込み用ネジ穴（ナット埋め込み）４を設け、物を吊るす事や、棚の取付を目的とする。
【図面の簡単な説明】
【００１２】
【図１】箱型収納ブロック正面図
【図２】箱型収納ブロック断面図
【図３】箱型収納ブロック斜視図
【符号の説明】
【００１３】１  収納ブロックの枠
２  壁
３  空洞収納室
４  ボルトねじ込み用ネジ穴（ナット埋め込み）
【図１】
0003120672.tif 000003
【図２】
0003120672.tif 000004
【図３】
0003120672.tif 000005
(57)【要約】【課題】  虫歯や歯周病予防のため最適な歯ブラシであって、普通の歯みがき動作によって、ブラシが自動的に揺動するもので安価で理想的な歯ブラシを提供する。【解決手段】  ２重構成の歯ブラシ軸で、内筒軸にブラシが固定されていて外筒軸を握って前後に動かすことで内筒軸に設けた揺動長孔５と固定ピン４の作用によって内筒軸が回動し、歯ぐきを含めて歯全面の歯みがきが行える。【選択図】図１
0003120676.tif 000002
【実用新案登録請求の範囲】
【請求項１】
外筒軸（１）と内筒軸（２）の２重構造で、摺動する構成とし、内筒軸（２）先端に歯ブラシ軸（９）を固着し、外筒軸（１）に固定ピン孔（３）を貫通し、内筒軸（２）の両側面の軸芯に対向して斜めの揺動長孔（５）を設け、棒状の固定ピン（４）を嵌入し摺動することとし、外筒軸（１）と内筒軸（２）は結合され、外筒軸（１）を握り、左右方向の歯みがき動作を繰返すことによって歯ブラシ（１０）が揺動することを特徴とした揺動歯ブラシ。
【請求項２】
外筒軸（１）内筒軸（２）との２重構成となった歯ブラシ軸の軸尻（８）に調節ネジ（７）を螺装して内筒軸（２）の前後移動を制限することを特徴とした請求項１に記載の揺動歯ブラシ。
【考案の詳細な説明】
【技術分野】
【０００１】  本考案は歯磨ブラシの作動に応じて毛先が上下左右に回動する揺動歯ブラシに関する。
【背景技術】
【０００２】  虫歯や歯周病の予防のために最適な歯ブラシとして種々の形状の歯ブラシやブラッシングの方法が開発され宣伝もされている。例えばブラシの歯形に変化をもたせたもの、又円形の歯ブラシなどもあり、さらにブラッシングの方法としても歯科医（助手）が手をとって指導もしている。しかしこれといって特に決め手はなく、要はまめに歯ぐきを含めて歯を磨くことに決められている。
【特許文献１】  特開２００３−９９５０号公報
【考案の開示】
【考案が解決しようとする課題】
【０００３】  本考案は、歯みがきの際の普通の姿勢や動作で、歯ぐきを含めて歯の全周を隈なく磨くことのできる上下左右に揺動する歯ブラシを提供することを考えた。
【課題を解決するための手段】
【０００４】  考案者は、この点に鑑み鋭意試作研究を続けた結果本考案の手動歯ブラシを完成したものであって、本考案の歯ブラシは、歯ブラシの外筒軸（１），内筒軸（２）の２重構成とし、内筒軸（２）の先端に歯ブラシ（１０）を固着し、この外筒軸（１）の任意位置に固定ピン孔を貫通して棒状の固定ピン（４）を固定する。【０００５】  そして内筒軸（２）の両側面に歯ブラシの軸芯に対向して斜めに揺動長孔（５）を設け、前記外筒軸（１）と内筒軸（２）の挿入合体に当っては、外筒軸（１）に設けた棒状固定ピン（４）が内筒軸（２）の両側面に対象形に設けた斜めに形成した揺動長孔（５）に嵌合して挿入することによって揺動歯ブラシ（１０）が完成する。【０００６】  したがって、この歯ブラシ（１０）は歯みがき動作に際して、外筒（１）を握って歯に対して左右に歯ブラシ（１０）を動かすことによって、歯ブラシの毛先は外筒軸（１）の固定ピン（４）が内筒軸（２）に設けられた斜めの揺動長孔（５）に沿った誘導によって、当っている歯の摩擦抵抗に対して前後に、斜めに、回動して接する。【０００７】  歯みがき動作はこれを繰返し、毛先の弾力と位置が揺動することによって歯みがきは、歯ぐきを含めて歯全体に万遍なく行うことができる。
【考案の効果】
【０００８】  上述のように本考案の揺動歯ブラシは、軸を簡単な構造にすることによって、毛先の微妙な弾力の変化によって歯みがきができるため老人から幼児まで広く使用可能で、十分な歯みがき効果を発揮できる。
【考案を実施するための最良の形態】
【０００６】  添付図面により本考案を実施するための最良の形態を説明すると、図１は本考案の歯ブラシの断面構造図を示すものであって、歯ブラシ（１０）の毛先は２重に構成されている歯ブラシの内筒軸（２）に固着されている。（１）は歯ブラシ（１０）の外筒軸であって、内筒軸（２）と外筒軸（１）は互いに前後に摺動・回転が可能である。【００１０】  そして外筒軸（１）には固定ピン（４）が軸に対して挿通して固定されている。また被装する内筒軸（２）の固定ピン（４）の位置には軸線に対して斜めになるように対向する揺動長孔（５）と固定ピン孔（３）には固定ピン（４）を挿入し、外筒軸（１）と内筒軸（２）は結合される。【００１１】  この外筒軸（１）に設けた斜めの揺動長孔（５）は透導孔であって、外筒軸（１）の左右の動きに対して固定ピン（４）は揺動長孔（５）に誘導されるため内筒軸（２）が回動し、従って軸先端に取付けられている歯ブラシ（１０）が回軸揺動する。これによって歯に当るブラシの回転が複雑となり、歯みがき効果が向上する。【００１２】  内筒軸（２）の後尾に設けた調節ネジ（７）は、内筒軸（２）端にあって内筒軸（２）の軸尻（８）に螺合（８）されていて、調節ネジ（７）を螺合する加減によって内筒軸（２）の伸縮が加減されて歯ブラシ（１０）先端の毛先の揺動を加減することができる。また調節ネジ（７）で揺動を無くし普通の歯ブラシにもなる。【００１３】  図示あるいは実施例中で、内筒軸（２）に設ける揺動長孔（５）を傾斜させて斜めに設ける説明をしているが、単なる直線でなく、波形等の変形に設けることによって、毛先の動きは複雑となって歯みがき効果がさらに期待できる。
【産業上の利用可能性】
【００１４】  上述のように本考案の歯ブラシは、普通の手を左右する歯みがき動作で歯ブラシが上下揺動するもので、万人の使用に適し、虫歯や歯周病の予防に効果的に使用でき、この歯ブラシの利用は広く利用される。
【図面の簡単な説明】
【００１５】
【図１】  内筒軸が固定位置にあるときのブラシの位置（角度）
【図２】  内筒軸が中央位置に出たときのブラシの位置（角度）
【図３】  内筒軸が最大に延びたときのブラシの位置（角度）
【図４】  Ａ−Ａ断面図
【図５】  調節ネジの側面図
【符号の説明】
【００１６】  （１）…外筒軸
（２）…内筒軸
（３）…固定ピン孔
（４）…固定ピン
（５）…揺動長孔
（７）…調節ネジ
（８）…軸尻
（９）…ブラシ軸
（１０）…ブラシ
Ａ−１…ブラシ軸の揺動
【図１】
0003120676.tif 000003
【図２】
0003120676.tif 000004
【図３】
0003120676.tif 000005
【図４】
0003120676.tif 000006
【図５】
0003120676.tif 000007
(57)【要約】      （修正有）【課題】パンツを前側とうしろ側を間違えてはいてしまった場合、会社等で、いざ小便をする際、局部出し入れ口が探り当たらず、用をたせない。そのため、便所（個室）などにはいりズボンをぬぎ、パンツをぬぎ、パンツのうしろ前を直すための、はき替えをしなければならない不便を解消する。【解決手段】局部出し入れ口をパンツの前側だけでなく、パンツのうしろ側にもつける。【選択図】図１
0003120678.tif 000002
【実用新案登録請求の範囲】
【請求項１】
トランクス型パンツの前側、うしろ側の両方に局部出し入れ口（男子排尿時の陰茎の出し入れ口。以下「局部出し入れ口」という。）をつけたパンツで、前、うしろを間違えてはいても、気にしなくて小便ができるパンツ。
【考案の詳細な説明】
【技術の分野】
【０００１】  本考案は、トランクス型パンツの局部出し入れ口（「男子排尿時の陰茎の出し入れ口。以下「局部出し入れ口」という。」に関するもので、パンツの前側だけでなく、うしろ側にも局部出し入れ口をつけて、前うしろを間違えてはいても、小便ができるものである。
【背景技術】
【０００２】  従来のパンツには、前とうしろがあるにも関わらず、局部出し入れ口が前側にしかない。
【考案の開示】
【考案が解決しようとする課題】
【０００３】  これでは、パンツを前側とうしろ側を間違えてはいてしまった場合、会社等で、いざ小便をする際、局部出し入れ口が探り当たらず、用をたせない。
そのため、便所（個室）などに入り、ズボンをぬぎ、パンツをぬぎ、パンツのうしろ前を直すための、はき替えをしなければならない。不便である。
【課題を解決するための手段】
【０００４】  そこで、局部出し入れ口をパンツの前側だけでなく、パンツのうしろ側にもつける。
【考案の効果】
【０００５】  よって、本考案のパンツのうしろ側にも局部出し入れ口をつけたパンツは、着用する際に、前うしろを意識しなくてもはくことができ、はきなおしをすることなく小便の用がたせる。【０００６】  また、短い時間の中で着替える場合、また、高齢者や眼の不自由な方にとってもパンツの前うしろを気にせず、簡単に着替をすることができる。【０００７】  さらには、パンツの前とうしろが全く同じ形になるので、型紙も少なくて済み、縫製に際しても同一のものを縫い合わせるだけで簡単になり、大量生産に好都合である。
【考案を実施するための最良の形態】
【０００８】  パンツの前側とうしろ側が全く同じ形になるので、股下に余裕部分（マチつき）を持たせ、【０００９】  大腿部があたる部位には外側に切り込みをいれ、パンツ全体に余裕を持たせる。【００１０】  また、局部出し入れ口のボタンが、尻にあたっても気にならない程度のものとする。
【図面の簡単な説明】
【００１１】
【００１２】
【図１】  本考案に係る局部出し入れ口を、パンツの前側とうしろ側の両方につけた状態の断面図である。
【図２】  局部出し入れ口を、前とうしろにつけたパンツの前側立面図である。
【図３】  局部出し入れ口を、前とうしろにつけたパンツのうしろ側立面図である。
【符号の説明】
【００１３】１  局部出し入れ口
２  切り込み
３  股下に余裕をもたせるための、マチ付き部分
【図１】
0003120678.tif 000003
【図２】
0003120678.tif 000004
【図３】
0003120678.tif 000005
(57)【要約】【課題】  手帳の中身用紙に、宝くじの購入の参考にするための宝くじの結果内容を記入するための欄及び枠と宝くじ購入時及び結果の金銭収支が記入できる枠及び欄を設けた宝くじ専用手帳。【解決手段】  手帳の中身用紙に、宝くじの内容を記載した枠及び欄を設け、この枠内に宝くじに関する数字や文字を記入するための枠及び欄と金銭収支を記入するための枠及び欄を設けた宝くじ専用手帳。【選択図】図２
0003120671.tif 000002
【実用新案登録請求の範囲】
【請求項１】
手帳の中身用紙に、宝くじの内容を記載した枠及び欄を設け、この枠内に宝くじに関する数字や文字を記入するための枠及び欄と金銭収支が記入できる枠及び欄を設けた宝くじ専用手帳。
【考案の詳細な説明】
【技術分野】
【０００１】  本考案は、既存の手帳の中身用紙に宝くじの内容を記入するための枠や欄を設け、且つ、宝くじの購入と結果の金銭収支を記入するための枠や欄を設けた宝くじ専用手帳。
【背景技術】
【０００２】  従来の手帳の中身用紙は、アポやメモを記入するためのものである。
【考案開示】
【考案が解決しようとする課題】
【０００３】  宝くじを購入する時の参考資料とするための手帳とするため、宝くじの購入内容である数字や文字及び金銭収支を記入することを目的とする宝くじ専用手帳。
【課題を解決するための手段】
【０００４】  手帳の中身用紙に、宝くじの内容を記入するための枠及び欄を設け、且つ、宝くじの購入と結果の金銭収支を記入する枠及び欄を設けた宝くじ専用手帳。
【考案の効果】
【０００５】  宝くじの購入内容と結果内容を記入することで、後日の宝くじの購入時の参考となることを目的とした宝くじ専用手帳。
【考案の実施するための最良の形態】
【０００６】  手帳の中身用紙（２）に、宝くじの内容を記載した枠及び欄を設け、この枠内に宝くじ関する数字や文字を記入するための枠及び欄と金銭収支記入枠及び欄を設けた宝くじ専用手帳。
【産業上の利用可能性】
【０００７】  運勢占いを人生の羅針盤として、暮らしのリズムとしている観点から手帳を記入する毎に運勢占いを見ることができることで心理面の手助けとなる。
【図面の簡単な説明】
【０００８】
【図１】  立体図
【図２】  展開図
【符号の説明】
【０００９】  （１）  表  紙
（２）  中身用紙
【図１】
0003120671.tif 000003
【図２】
0003120671.tif 000004
(57)【要約】      （修正有）【課題】荒天候でも、ハンガーも使えて横づれも落下しないようにする物干し用具の提供。【解決手段】竿１と棒状アルミ板２を吊り具３で一体化させ、ダルマ穴４にハンガーのフックを掛けるようにして強風で横づれや落下しないようにした。【選択図】図１
0003120673.tif 000002
【実用新案登録請求の範囲】
【請求項１】
物干し竿に吊り具を介して吊り下げる長い棒状の板に、一定の間隔でダルマ穴を設けてあり、前記ダルマ穴はその頭部を下にして配置されている事を特徴とする物干し用具。
【考案の詳細な説明】
【技術分野】
【０００１】本考案は、荒天候の日でも使用できる物干し用具に関するものである。
【背景技術】
【０００２】風の強い日などに用いられる止め金とか、クリップなどは過去にもある。
【考案の開示】
【考案が解決しようとする課題】
【０００３】  しかし、従来の止め金とかクリップでは荒天候だと横づれしたり、ハズレたり、飛んでしまうという問題があった。
【課題を解決するための手段】
【０００４】  上記の問題点を解決するために、本考案が提供する物干し用具は、物干し竿に吊り具を介して吊り下げる長い棒状の板に一定の間隔でダルマ穴を設けてあり、前記ダルマ穴はその頭部を下にして配置されていることを特徴とするものである。
【考案の効果】
【０００５】（１）本考案の物干し用具は従来の物干し竿にも容易に使える。
（２）強風でも、ハンガーのフックがダルマ穴の頭部にはまるので落下したり飛んだりしない。
【考案の実施するための最良の形態】
【実施例】
【０００６】  図１は、実施例の物干し用具の正面図である。同図に示すように実施例の物干し竿１に吊り具３を介して吊り下げるもので、長い棒状のアルミ板２に一定の間隔でダルマ穴４を設けたものである。
アルミ板２の厚さは３ｍｍ巾は３ｃｍ長さは１ｍ８０ｃｍである。ダルマ穴４の大経は１０ｍｍ○、頭部の小経は５ｍｍ○で、ハンガーのフックが丁度はまり込む大きさである。ダルマ穴４の間隔は隣り会うハンガーをゆとりをもって吊り下げられる程度で実施例では１０ｃｍである。
【図面の簡単な説明】
【０００８】
【図１】本考案の実施例の物干し用具の正面図である。
【符号の説明】
１  物干し竿
２  長い棒状のアルミ板
３  吊り具
４  ダルマ穴
【図１】
0003120673.tif 000003